(57)【要約】【課題】  後付けにより容易に取り付けることができる、屋内において施錠、開錠が可能な屋内側施錠装置を提供し、屋外での高齢者の徘徊や幼児の事故が回避されるようにする。【解決手段】  建物の内開き扉９に使用されるものであり、内端部１２が内開き扉９の屋内側面より内方に突出するように扉枠１７に取り外し可能に取り付けられる錠保持片３と、錠保持片３の内端部１２に取り外し可能に装着されて、内開き扉９の屋内側面に係止する扉閉止片５と、錠保持片３の内端部１２における扉閉止片５への係止位置より屋内側に突出する部位に取り付けられ、施錠時において扉係止片５の錠保持片３への装着状態を保持する錠本体４とからなる屋内側施錠装置。【選択図】図２
2016075134.tif 000002
【特許請求の範囲】
【請求項１】
後付けによって扉と扉枠との間に差し入れられて取り付けられ、屋内側に前記扉の施錠機構を備え、前記施錠機構が解錠許可者のみによる解錠を可能とすることを特徴とする屋内側施錠装置。
【請求項２】
建物の内開き扉に使用されるものであり、
内端部が前記内開き扉の屋内側面より内方に突出するように扉枠に取り外し可能に取り付けられる錠保持片と、
前記錠保持片の前記内端部に取り外し可能に装着されて、前記内開き扉の屋内側面に係止する扉閉止片と、
前記錠保持片の前記内端部における前記扉閉止片への係止位置より屋内側に突出する部位に取り付けられ、施錠時において前記扉係止片の前記錠保持片への装着状態を保持する錠本体と、
からなることを特徴とする屋内側施錠装置。
【請求項３】
建物の外開き扉に使用されるものであり、
内端部が扉枠の屋内側面より内方に突出するように前記外開き扉に取り外し可能に取り付けられる錠保持片と、
前記錠保持片の前記内端部に取り外し可能に装着されて、前記扉枠の屋内側面に係止する扉閉止片と、
前記錠保持片の前記内端部における前記扉閉止片への係止位置より屋内側に突出する部位に取り付けられ、施錠時において前記扉枠係止片の前記錠保持片への装着状態を保持する錠本体と、
からなることを特徴とする屋内側施錠装置。
【発明の詳細な説明】
【技術分野】
【０００１】  この発明は、一般家屋、マンションの扉において用いる屋内側施錠装置に関する。
【背景技術】
【０００２】  最近、高齢者による屋外での徘徊が大きな社会問題となっている。また、幼児が親の知らない間に屋外に出て事故に遭遇する問題も発生している。これらの問題は、屋内にいる高齢者や幼児が自ら扉の錠を開き屋外に出ることによって発生している場合が多い。扉錠は、例えば、サムターン等によって屋内側から容易に開くことができ、このサムターン等が高齢者や幼児によって開かれている。ドア錠として屋内においても鍵等により施錠、開錠されるものが提供されているが、高価であり、その取り換えも手間がかかって業者でなければ行えず、また、必要でなくなった際には無駄なものとなる。さらに、公共住宅や借家の場合、錠の取り換えは容易に認められない。
【発明の概要】
【発明が解決しようとする課題】
【０００３】  この発明では、後付けにより容易に取り付けることができる、屋内において施錠、開錠が可能な屋内側施錠装置を提供することを目的とする。
【課題を解決するための手段】
【０００４】  請求項１の発明では、後付けによって扉と扉枠との間に差し入れられて取り付けられ、屋内側に前記扉の施錠機構を備え、前記施錠機構が解錠許可者のみによる解錠を可能とすることを特徴とする屋内側施錠装置を提供する。【０００５】  上記請求項１の発明の屋内側施錠装置において、屋内側の施錠機構により扉の施錠がなされることで、解錠許可者でない者は屋内側から扉が開くことができない。解錠許可者とは解錠のための鍵を有する者、また、解錠のための番号情報を知る者等であり、幼児や徘徊の恐れのある高齢者と同居する一般の家人となる。屋内側施錠装置は、扉に既存の錠をそのままとして別途必要に応じて取り付け、取り外し使用できる。施錠機構はサムターン等により容易に解錠が行われない構成で、鍵を使用したり番号情報を知ることによって解錠される構成であれば適宜の構成であってよい。【０００６】  請求項２の発明では、建物の内開き扉に使用されるものであり、内端部が前記内開き扉の屋内側面より内方に突出するように扉枠に取り外し可能に取り付けられる錠保持片と、前記錠保持片の前記内端部に取り外し可能に装着されて、前記内開き扉の屋内側面に係止する扉閉止片と、前記錠保持片の前記内端部における前記扉閉止片への係止位置より屋内側に突出する部位に取り付けられ、施錠時において前記扉係止片の前記錠保持片への装着状態を保持する錠本体とからなることを特徴とする屋内側施錠装置を提供する。【０００７】  請求項３の発明では、建物の外開き扉に使用されるものであり、内端部が扉枠の屋内側面より内方に突出するように外開き扉に取り外し可能に取り付けられる錠保持片と、前記錠保持片の前記内端部に取り外し可能に装着されて、前記扉枠の屋内側面に係止する扉閉止片と、前記錠保持片の前記内端部における前記扉閉止片への係止位置より屋内側に突出する部位に取り付けられ、施錠時において前記扉枠係止片の前記錠保持片への装着状態を保持する錠本体とからなることを特徴とする屋内側施錠装置を提供する。【０００８】  上記請求項２、請求項３それぞれの発明の屋内側施錠装置によって扉の施錠がなされることで、錠本体の解錠手段、または、解錠情報を持たない者は屋内側から扉が開くことができない。屋内側施錠装置は、扉に既存の錠をそのままとして別途必要に応じて取り付け、取り外し使用できる。
【発明の効果】
【０００９】  請求項１、請求項２、請求項３の発明によれば、後付けにより容易に取り付けることができる、屋内において施錠、開錠が可能な屋内側施錠装置が得られる。これにより高齢者の屋外での徘徊や幼児の屋外に出ての事故が回避されるようになり、住環境の安全性が高められる。
【図面の簡単な説明】
【００１０】
【図１】  この発明の屋内側施錠装置の第１の実施形態の外観斜視図
【図２】  この発明の屋内側施錠装置の第１の実施形態の使用説明図
【図３】  この発明の屋内側施錠装置の第２の実施形態の外観斜視図
【図４】  この発明の屋内側施錠装置の第２の実施形態の扉ストッパーの外観斜視図
【図５】  この発明の屋内側施錠装置の第２の実施形態の使用説明図
【図６】  この発明の屋内側施錠装置の第３の実施形態の外観斜視図
【図７】  この発明の屋内側施錠装置の第４の実施形態の使用説明図
【発明を実施するための形態】
【００１１】  図１は請求項１の発明の屋内側施錠装置の第１の実施形態の外観斜視図、図２は同使用説明図である。
【００１２】  屋内側施錠装置１は内開き扉用であり、鉄片が折り曲げ、打ち抜き加工された錠ホルダー３と、扁平な鉄片よりなる扉ストッパー５と、番号使用の南京錠４とからなる。錠ホルダー３と扉ストッパー５と南京錠４とのそれぞれにより請求項１の発明の施錠機構が構成され、錠ホルダー３が請求項２、３の発明の錠保持片を、扉ストッパー５が請求項２、３の発明の扉閉止片を、南京錠４が請求項２、３の発明の錠本体をそれぞれ構成する。
【００１３】  錠ホルダー３は嵌合取り付け部７を備え、その嵌合取り付け部７が扉枠１７の屋外側の突出部の側縁１０に外嵌されてネジ固定具１１が締め付けられることで、その内端部１２が扉９及び扉枠１７の屋内側面より内方に突出するように取り付け固定される。内端部１２には南京錠４の係止穴６が設けられている。
【００１４】  扉ストッパー５は縦長のプレート形態で、上部に錠ホルダー３の内端部１２が挿通係止される縦長スリット形態の係止穴１６が設けられており、係止穴１６で錠ホルダー３の内端部１２に係止された状態において、その内面が扉９と扉枠１７との内面それぞれに相対し、扉９が開かれる際にはその内面に係止するように位置する。
【００１５】  南京錠４はその係止部２２が錠ホルダー３の内端部１２の係止穴６に係止されて取り付けられる。
【００１６】  以下、上記屋内側施錠装置１の施錠工程を説明する。まず、錠ホルダー３を扉枠１７の側縁１０に取り付ける。錠ホルダー３は予め取り付けておいてもよい。次に、扉９を閉めた状態として、屋内側から錠ホルダー３に扉ストッパー５を装着する。装着は扉ストッパー５の係止穴１６に錠ホルダー３の内端部１２を挿通係止して行う。次に、錠ホルダー３の内端部１２の係止穴６に係止部２２を係止し南京錠４を取り付けて施錠する。このように南京錠４が取り付けられることで扉ストッパー５の係止穴１６から錠ホルダー３の内端部１２が抜けなくなり、かつ、扉ストッパー５が扉９の内面に係止するので、扉９に開き方向の力が働いてもその開き動作が阻止される。
【００１７】  上記のように屋内側施錠装置１によって扉９の施錠がなされることで、南京錠４の解錠のための番号が分からない者は屋内側から扉９を開くことができず、これにより、徘徊の恐れのある高齢者や幼児が自ら錠を開いて屋外に出ることが防止される。屋内側施錠装置１は、すでに有る錠をそのままとして別途必要に応じて取り付け、取り外し使用できるので、家族の実情等に合わせて便利に用いられる。
【００１８】  図３は請求項２の発明の第２の実施形態の屋内側施錠装置の外観斜視図、図４は同装置において使用される扉ストッパーの外観斜視図、図５は同装置の使用説明図である。
【００１９】  屋内側施錠装置１は外開き扉用のものであり、鉄片が折り曲げ、打ち抜き加工された錠ホルダー（錠保持片）３及び扉ストッパー（扉閉止片）５と、鍵使用の南京錠４とからなる。
【００２０】  錠ホルダー３は嵌合取り付け部７を備え、その嵌合取り付け部７が扉９の側縁１０に外嵌されてネジ固定具１１が締め付けられることで、その内端部１２が扉９が取り付けられる扉枠１７外面より外方に突出するように取り付け固定される。内端部１２には南京錠４の係止穴６が設けられている。
【００２１】  扉ストッパー５は扉枠係止部１３、中間部１４、扉当接部１５が折れ曲がり状態に連続し、扉枠係止部１３には錠ホルダー３の内端部１２が挿通係止される係止穴１６が設けられている。中間部１４の扉当接部１５の近傍には切り込みが形成されることで立ち上げられた立ち上げ部１８が形成され、その立ち上げ部１８には錠ホルダー３の中間部１９が挿通係止される係止穴２０が設けられている。扉ストッパー５に使用する鉄片は錠ホルダー３に使用するものよりその厚みが大きく、扉ストッパー５は錠ホルダー３より剛性が大きくされている。
【００２２】  南京錠４はその係止部２２が錠ホルダー３の内端部１２の係止穴６に係止されて取り付けられる。
【００２３】  以下、上記屋内側施錠装置１の施錠工程を説明する。まず、錠ホルダー３を扉９の側縁１０に取り付ける。錠ホルダー３は予め取り付けておいてもよい。次に、扉９を閉めた状態として、屋内側から錠ホルダー３に扉ストッパー５を装着する。装着は扉ストッパー５の係止穴１６、係止穴２０に錠ホルダー３の内端部１２、中間部１９をそれぞれ挿通係止して行う。次に、錠ホルダー３の内端部１２の挿通係止係止穴６に係止部２２を係止し南京錠４を取り付けて施錠する。このように南京錠４が取り付けられることで扉ストッパー５の係止穴１６から錠ホルダー３の内端部１２が抜けなくなり、かつ、扉枠係止部１３が扉枠１７に係止しているので、扉９に開き方向の力が働いてもその開き動作が阻止される。
【００２４】  第２の実施形態の屋内側施錠装置１においても、第１の実施形態の屋内側施錠装置１と同様の作用効果が発揮される。
【００２５】  図６は第２の実施形態の変形例である第３の実施形態を示し、このものではボールロック錠３２を使用している。ボールロック錠３２は施錠されることで内部のボールが錠ホルダー３の内端部１２の係止穴６に係止してロック状態となり、その状態において上記の南京錠４を用いた場合と同様に内開き扉９の開き動作が防止される。第３の実施形態の屋内側施錠装置１においても、第１、第２の実施形態の屋内側施錠装置１と同様の作用効果が発揮される。
【００２６】  図７は第２の実施形態のさらなる変形例である第４の実施形態を示し、このものでは扉ストッパー５としてブロック状の樹脂成形品を使用している。扉ストッパー５は内面側から外面側に連通する係止穴１６を備えるとともに、外面側の一方に扉枠係止部１３が突出形成されている。この実施形態によれば、扉ストッパー５の係止穴１６に挿通保持されることで錠ホルダー３が安定し、また、扉ストッパー５が扉９の内面、扉枠１７の内面それぞれに面接触することで安定した取り付け構造が得られる。第４の実施形態の屋内側施錠装置１においても、第１、第２、第３の実施形態の屋内側施錠装置１と同様の作用効果が発揮される。
【符号の説明】
【００２７】１  屋内側施錠装置
３  錠ホルダー（施錠機構、錠保持片）
４  南京錠（施錠機構、錠本体）
５  扉ストッパー（施錠機構、扉閉止片）
９  扉
１７扉枠
【図１】
2016075134.tif 000003
【図２】
2016075134.tif 000004
【図３】
2016075134.tif 000005
【図４】
2016075134.tif 000006
【図５】
2016075134.tif 000007
【図６】
2016075134.tif 000008
【図７】
2016075134.tif 000009